(57)【要約】【課題】  既製のベルトバックルの飾り板の飾り面のデザインを変更したい場合、新しい飾り板の裏面にそのまま前記変更前の飾り板の表面を固着すれば、変更前の飾り板を隠蔽して簡単容易に新しいデザインの飾り板に変更することができるベルトバックルの飾り板を提供する。【解決手段】  僅かに彎曲させた曲板１０の表面１１に飾り面１１０を形成させ、裏面１２の縁部に沿って縁取りフレーム１２１を形成させて、前記裏面１２の縁取りフレーム１２１内に、ベルトバックル２０の不用となった飾り板２１の表面２１０を固着して隠蔽できるようにしたもの。【選択図】    図３
2005270323.tif 000002
【特許請求の範囲】
【請求項１】
僅かに彎曲させた曲板の表面に飾り面を形成させ、裏面の縁部に沿って縁取りフレームを形成させて、前記裏面の縁取りフレーム内に、ベルトバックルの不用となった飾り板の表面を固着して隠蔽できるようにしたことを特徴とするベルトバックルの飾り板。
【請求項２】
僅かに彎曲させた曲板の表面に飾り面を形成させ、裏面の縁部に沿って縁取りフレームを形成させると共に、前記裏面の縁取りフレーム内の一部又は全部を平面に形成して、ベルトを支持するための部品を形成したプレートの表面を固着できるようにしたことを特徴とするベルトバックルの飾り板。
【発明の詳細な説明】
【技術分野】
【０００１】
本発明は、ベルトバックルの飾り板に関するものである。
【背景技術】
【０００２】
従来のベルトバックルの飾り板は、その裏面にベルトの端部と噛合して連結するベルト連結部品、ベルトを任意の位置で圧着するベルト圧着部品、ベルトを挿通させるためのベルトキヤリヤ部品、ベルト端部を折り曲げて止着して連結するリング状フレームの支持部品、ベルト穴に挿入してベルトを任意の位置に止着するタング部品などのベルトを支持するための部品を一体的に取り付けていたので、飾り板だけを取り替えることはできなかった。
そこで本発明者は、飾り板の飾り面を変更したい場合に、新しい飾り板に、その裏面の縁部に沿う縁取りフレームを設けて、前記縁取りフレーム内の裏面に、不用となった飾り板の表面を固着して、不用となった飾り板を隠蔽することにより、前述したベルトを支持するための各部品をそのまま利用して、古い飾り面をもったベルトバックルを新しい飾り面をもったベルトバックルに簡単容易に変更することに成功した。
また、本発明者は、さきに、特願２００２−２６４４５４の明細書及び図面において、本願の図７に示すように、裏面３０２ａの一端に、ベルトの後端部を着脱可能に噛んで連結することができるようにした歯板３１１ａをもったベルト連結部品３１ａと、ベルトを先端部から挿入して支持し通過させてベルトを長さ方向の任意の位置に圧着することができるようにしたつめ歯車３２１ａをもったベルト止着部品３２ａを設け、他端に、ベルトを先端部から挿入して通過させることができるようにしたベルトキャリヤ部品３３ａを設けると共に、表面３０１ａを、飾り板の裏面に固着できるように形成したプレート３０ａ、図８に示すように、裏面３０２ｂの一端に、ベルトの後端部を着脱可能に噛んで連結することができるようにした歯板３１１ｂをもったベルト連結部品３１ｂと、ベルトを先端部から挿入して支持し通過させることができるようにしたベルトキャリヤ部品３２ｂを設け、他端に、ベルトのパンチ穴に入れて留めることができるタング３３ｂを設けると共に、表面３０１ｂを、飾り板の裏面に固着できるように形成したプレート３０ｂ、図９に示すように、裏面３０２ｃの一端に、ベルトの後端部を折り返して止めることができると共に、ベルトを先端部から挿入して支持し通過させることができるようにしたリング状フレーム３１ｃを回動可能に支持する支持部品３２ｃを設け、他端にベルトのパンチ穴に入れて留めることができるようにしたタング３３ｃを設ける共に、表面３０１ｃを飾り板の裏面に固着できるように形成したプレート３０ｃを開発したが、これらのプレートは飾り板の裏面に接着、ろう付けなどにより取りつけられるが、ベルトバックルの飾り板は僅かな曲面を形成するので、平面板のプレートは小型のプレートを除いて接着やろう付けなどによる取り付けが不完全になる、プレートを飾り板裏面にそのまま固着させたときプレートが飾り板裏面から露出するので体裁が悪いなどから改善の必要があった。
そこで本発明者は、曲面板の飾り板の裏面の縁部に沿って縁取りフレームを設けてプレートを隠蔽できるようにすると共に、裏面の一部を平面化して固着を完全にできるようにして上記問題点を解決することに成功した。
【特許文献１】実開平３−６７１１０号
【特許文献２】実開昭６２−７３７０７号
【特許文献３】特願２００２−２６４４５４号
【発明の開示】
【発明が解決しようとする課題】
【０００３】
本発明は、既製のベルトバックルの飾り板の飾り面のデザインを変更したい場合、新しい飾り板の裏面にそのまま前記変更前の飾り板の表面を固着すれば、変更前の飾り板を隠蔽して簡単容易に新しいデザインの飾り板に変更することができるベルトバックルの飾り板を提供することにある。
また、本発明は、特願２００２−２６４４５４号に示すような、ベルトを支持する部品を一体的に形成したプレートを飾り板裏面に体裁よく、かつ堅固に取りつけることができるようにしたベルトバックルの飾り板を提供することにある。
【課題を解決するための手段】
【０００４】
本発明ベルトバックルの飾り板は、上記課題を達成するため、図示するように、僅かに彎曲させた曲板１０の表面１１に飾り面１１０を形成させ、裏面１２の縁部に沿って縁取りフレーム１２１を形成させて、前記裏面１２の縁取りフレーム１２１内に、ベルトバックル２０の不用となった飾り板２１の表面２１０を固着して隠蔽できるようにしたものである。
また、本発明ベルトバックルの飾り板は、上記課題を達成するため、図示するように、僅かに彎曲させた曲板１０Ｂの表面１１Ｂに飾り面１１０Ｂを形成させ、裏面１２Ｂの縁部に沿って縁取りフレーム１２１Ｂを形成させると共に、前記裏面の縁取りフレーム１２１Ｂ内の一部又は全部を平面１２０Ｂに形成して、ベルトを支持するための部品を形成したプレート３０ａ、３０ｂ又は３０ｃの表面３０１ａ、３０１ｂ又は３０１ｃを固着できるようにしたものである。
【発明の効果】
【０００５】
本発明のベルトバックルの飾り板は、その裏面の縁部に沿って縁取りフレームを形成させたので、ベルトバックルを着用した際に、変更前の不用となった飾り板を隠蔽して、新しい飾り板を出現させることができ、また、特願２００２−２６４４５４号のベルトを支持するための部品を取りつけたプレートを、体裁よくかつ完全に固着して、飾り板に取り付けることができるので、飾り板の変更や新設が迅速容易確実にでき、さらに、本発明のベルトバックルの飾り板は、ベルトバックルの他の部品を飾り板に附属させて一体的に製造することが必要でないので、少量多品種の飾り板の生産が安価にできる。
【発明を実施するための最良の形態】
【０００６】
本発明は、僅かに彎曲した曲面板の表面に飾り面、裏面縁部に縁取りフレームを形成した、金属製、合成樹脂製、木製等の飾り板を鋳造、プレス、切削等により簡単に製造できる。
【実施例１】
【０００７】
本発明の実施例１が図１乃至図３に示されている。
本発明例のベルトバックルの飾り板は、僅かに彎曲させて鋳造又はプレスした金属製曲板１０からなっている。
金属製曲板１０は、表面１１に飾り面１１０を形成し、裏面１２の縁部に沿って縁取りフレーム１２１を、図３に示すように、不用となる飾り板２１の厚み分だけの高さを裏面１２から立ち上るように形成したものである。
縁取りフレーム１２１は、新しい飾り板１０をベルトと共に着用したとき、上面の縁取りフレーム１２１（１）や左右側面の縁取りフレーム１２１（２）、１２１（３）から不用となった飾り板が隠蔽できる高さに形成される。
従って、図３に示すように、ベルトバックルの不用としたい飾り面２１を裏面の曲面１２に合わせるように、エポキシ樹脂等のパテ２１１で埋設（必ずしもパテ２１１を必要としない）して縁取りフレーム１２１内の曲面１２に接着、ろう付け等により固着すれば、不用となる飾り板２１を隠蔽して新しい飾り板付きのベルトバックルが簡単容易に出来上ることになる。
【実施例２】
【０００８】
本発明の実施例２が図４乃至図６に示されている。
本発明例のベルトバックルの飾り板は、僅かに彎曲させて切削した木製曲板１０Ｂからなっている。
木製曲板１０Ｂは、表側に表面１１Ｂと飾り面１１０Ｂとを切削により形成し、裏側に縁部に沿って縁取りフレーム１２１Ｂと平面１２０Ｂを設けた裏面１２Ｂとを切削により形成したものである。
縁取りフレーム１２１Ｂは、ベルトを着用したとき、上面の縁取りフレーム１２１Ｂ（１）や左右側面の縁取りフレーム１２１Ｂ（２）、１２１Ｂ（３）及び下面の縁取りフレーム１２１Ｂ（４）から図７、図８又は図９に示すように、固着させるプレート３０ｂ、３０ａ又は３０ｃのプレート厚みが隠蔽できる高さに形成される。
従って、飾り板１０Ｂの裏面１２Ｂの平面１２０Ｂにプレート３０ｂ、３０ａ又は３０ｃの表面３０１ｂ、３０１ａ又は３０１ｃを接着、ねじ止め等で固着すれば、飾り板付きのベルトバックルが簡単容易かつ確実に固着して出来上ることになる。
【産業上の利用可能性】
【０００９】
本発明ベルトバックルの飾り板は、ベルトを支持するための部品を附属させないため少量多品種の生産ができる。
【図面の簡単な説明】
【００１０】
【図１】本発明の実施例１の裏面からみた斜視図である。
【図２】図１の正面図である。
【図３】図１の使用状態説明図である。
【図４】本発明の実施例２の裏面からみた斜視図である。
【図５】図４の正面図である。
【図６】図４の使用状態説明図である。
【図７】飾り板の裏面に固着されるプレートの斜視図である。
【図８】飾り板の裏面に固着されるプレートの別の斜視図である。
【図９】飾り板の裏面に固着されるプレートの別の斜視図である。
【符号の説明】
【００１１】
１０、１０Ｂ    曲板
１１、１１Ｂ    表面
１１０、１１０Ｂ    飾り面
１２、１２Ｂ    裏面
１２０Ｂ    平面
１２１、１２１Ｂ    縁取りフレーム
２１    不用となった飾り板
２１０    不用となった飾り板の表面
３０ａ、３０ｂ、３０ｃ    ベルトを支持する部品を一体的に形成したプレート
３０１ａ、３０１ｂ、３０１ｃ    ベルトを支持する部品を一体的に形成したプレートの表面
【図１】
2005270323.tif 000003
【図２】
2005270323.tif 000004
【図３】
2005270323.tif 000005
【図４】
2005270323.tif 000006
【図５】
2005270323.tif 000007
【図６】
2005270323.tif 000008
【図７】
2005270323.tif 000009
【図８】
2005270323.tif 000010
【図９】
2005270323.tif 000011